【手続補正書】
【提出日】平成20年8月12日(2008.8.12)
【手続補正１】
【補正対象書類名】特許請求の範囲
【補正対象項目名】全文
【補正方法】変更
【補正の内容】
【特許請求の範囲】
【請求項１】
複数の登録者に係る個人情報の管理業務を行う管理機関により使用され、前記登録者に係る個人情報を自身に備えられたデータベースに登録するとともに、要求に応じて該登録者の認証を行うシステムサーバと、前記登録者により操作されるユーザ端末と、前記登録者以外の第三者であって、前記登録者に係る個人情報を保有する登録希望側により操作される登録希望側端末と、前記登録者に係る個人情報を証明するための判断材料を保有する複数の関係機関側によりそれぞれ操作される確認先側端末と、を有するシステムであって、
前記ユーザ端末または登録希望側端末は、
前記登録者に係る個人情報を前記システムサーバに送信し、
前記システムサーバは、
前記登録者に係る個人情報を前記ユーザ端末または登録希望側端末から受信すると、前記登録者の個人情報の正当性の検証を要求する旨の情報とともに、前記登録者に係る個人情報を前記複数の確認先側端末にそれぞれ送信し、
前記複数の確認先側端末は、
前記システムサーバから受信した登録者の個人情報と、自身に格納されている前記登録者の個人情報の証明の証拠を示す情報とを比較して、前記登録者の個人情報の正当性の有無を検証し、該検証の回答情報を前記システムサーバに送信し、
前記システムサーバは、
前記回答情報を前記確認先端末から受信すると、該受信した回答情報と、前記登録者に係る個人情報とを対応付けて格納し、前記登録者の認証を行い、認証が成功した個人情報数を計数し、該認証が成功した個人情報数が所定値以上であった場合、前記登録者が実在していると判定することを特徴とする認証システム。
【請求項２】
複数の登録者に係る個人情報の管理業務を行う管理機関により使用され、前記登録者に係る個人情報を自身に備えられたデータベースに登録するとともに、要求に応じて該登録者の認証を行うシステムサーバと、前記登録者により操作されるユーザ端末と、前記登録者以外の第三者であって、前記登録者に係る個人情報を保有する登録希望側により操作される登録希望側端末と、前記登録者に係る個人情報を証明するための判断材料を保有する複数の関係機関側によりそれぞれ操作される確認先側端末と、を有するシステムであって、
前記ユーザ端末または登録希望側端末は、
前記登録者に係る個人情報を前記システムサーバに送信し、
前記システムサーバは、
前記登録者に係る個人情報を前記ユーザ端末または登録希望側端末から受信すると、前記登録者の個人情報の正当性の検証を要求する旨の情報とともに、前記登録者に係る個人情報を前記複数の確認先側端末にそれぞれ送信し、
前記複数の確認先側端末は、
前記システムサーバから受信した登録者の個人情報と、自身に格納されている前記登録者の個人情報の証明の証拠を示す情報とを比較して、前記登録者の個人情報の正当性の有無を検証し、該検証の回答情報を前記システムサーバに送信し、
前記システムサーバは、
前記回答情報を前記確認先端末から受信すると、該受信した回答情報と、前記登録者に係る個人情報とを対応付けて格納し、前記登録者の認証を行い、前記登録者に係る個人情報が示されている証明物の種類、照合の成否、前記データベース登録から経過した期間、照合から経過した期間、および現在該証明物の有効期限内か否かの項目のうちの少なくとも１つに基づいて、前記登録者が実在していることの確かさを点数化して算出することを特徴とする認証システム。
【請求項３】
前記システムサーバは、
前記登録者に係る個人情報が示されている証明物の種類、照合の成否、前記データベース登録から経過した期間、照合から経過した期間、および現在該証明物の有効期限内か否かの項目を点数化したもののうちの２以上を互いに掛け合わせて、前記登録者が実在していることの確かさを点数化して算出することを特徴とする請求項２記載の認証システム。
【請求項４】
前記システムサーバは、
前記データベースに登録済みの登録者に係る個人情報が示されている証明物の種類に基づいて、該登録者に係る個人情報の不確かさを点数化して示したリスク率を決定し、該リスク率を反映させて、前記登録者が実在していることの確かさを算出することを特徴とする請求項２または３記載の認証システム。
【請求項５】
前記認証システムは、
前記登録者の認証を自らで判断することを希望する実在判断希望側により使用される実在判断希望側端末をさらに有し、
前記システムサーバは、
前記登録者に係る個人情報を、前記実在判断希望側端末から受信すると、該受信個人情報と、前記データベースに登録されている登録者に係る個人情報とを比較して、前記登録者の個人情報の正当性の有無を検証し、該検証の回答情報を前記実在判断希望側端末に送信し、
前記実在判断希望側端末は、
前記回答情報を前記システムサーバから受信すると、該受信した回答情報により、前記登録者の認証を行うことを特徴とする請求項１から４のいずれか１項に記載の認証システム。
【請求項６】
前記認証システムは、
前記登録者の認証の提供をシステムサーバに求める実在認証希望側により使用される実在認証希望側端末をさらに有し、
前記システムサーバは、
前記登録者に係る個人情報を、前記実在認証希望側端末から受信すると、該受信個人情報と、前記データベースに登録されている登録者に係る個人情報と、を照合して前記登録者の認証を行うことを特徴とする請求項１から５のいずれか１項に記載の認証システム。
【請求項７】
前記認証システムは、
前記登録者に係る個人情報の正当性を判断を希望する正当性認証希望側により使用される正当性認証希望側端末をさらに有し、
前記システムサーバは、
前記登録者に係る個人情報を前記正当性認証希望側端末から受信すると、該受信個人情報と、前記データベースに登録されている登録者に係る個人情報と、を照合して前記受信個人情報の正当性を判断し、該判断結果を前記正当性認証希望側端末に送信することを特徴とする請求項１から６のいずれか１項に記載の認証システム。
【請求項８】
前記登録者に係る個人情報は、
該登録者を撮影した画像情報であり、
前記ユーザ端末は、
前記登録者の外見を示す画像情報を前記システムサーバに送信し、
前記システムサーバは、
前記ユーザ端末から送信された前記登録者の外見を示す画像情報及び前記データベースに登録されている登録者を撮影した画像情報を撮影時期順に並べ、前記受信画像情報と、該受信画像情報と時期的に連続する画像情報とを照合して前記登録者の認証を行うことを特徴とする請求項１から７のいずれか１項に記載の認証システム。
【請求項９】
前記システムサーバは、
前記データベースに新たに登録された前記登録者のバイオメトリクス情報及び前記データベースに登録されている登録者のバイオメトリクス情報を読取時期順に並べ、前記新規のバイオメトリクス情報と、該新規のバイオメトリクス情報と読取時期が連続するバイオメトリクス情報とを照合して前記登録者の認証を行うことを特徴とする請求項１から８のいずれか１項に記載の認証システム。
【請求項１０】
前記データベースは、
地図情報と、距離に応じて該距離の移動に要する最短時間を示す情報と、を登録し、
前記システムサーバは、
２以上のバイオメトリクス情報を受信したとき、該２以上のバイオメトリクス情報の読取場所および読取時期と、前記データベース内の移動に要する最短時間と、に基づいて、前記２以上のバイオメトリクス情報の読取を行った前記登録者が同一人物であるか否かを判定することを特徴とする請求項１から９のいずれか１項に記載の認証システム。
【請求項１１】
前記システムサーバは、
前記２以上のバイオメトリクス情報の読取を行った登録者が同一人物ではないと判断した場合、前記２以上のバイオメトリクス情報が第三者に流出した可能性を示すアラーム情報を前記ユーザ端末に送信することを特徴とする請求項１０記載の認証システム。
【手続補正２】
【補正対象書類名】明細書
【補正対象項目名】００１１
【補正方法】変更
【補正の内容】
【００１１】
かかる目的を達成するため、本発明は、複数の登録者に係る個人情報の管理業務を行う管理機関により使用され、前記登録者に係る個人情報を自身に備えられたデータベースに登録するとともに、要求に応じて該登録者の認証を行うシステムサーバと、前記登録者により操作されるユーザ端末と、前記登録者以外の第三者であって、前記登録者に係る個人情報を保有する登録希望側により操作される登録希望側端末と、前記登録者に係る個人情報を証明するための判断材料を保有する複数の関係機関側によりそれぞれ操作される確認先側端末と、を有するシステムであって、前記ユーザ端末または登録希望側端末は、前記登録者に係る個人情報を前記システムサーバに送信し、前記システムサーバは、前記登録者に係る個人情報を前記ユーザ端末または登録希望側端末から受信すると、前記登録者の個人情報の正当性の検証を要求する旨の情報とともに、前記登録者に係る個人情報を前記複数の確認先側端末にそれぞれ送信し、前記複数の確認先側端末は、前記システムサーバから受信した登録者の個人情報と、自身に格納されている前記登録者の個人情報の証明の証拠を示す情報とを比較して、前記登録者の個人情報の正当性の有無を検証し、該検証の回答情報を前記システムサーバに送信し、前記システムサーバは、前記回答情報を前記確認先端末から受信すると、該受信した回答情報と、前記登録者に係る個人情報とを対応付けて格納し、前記登録者の認証を行い、認証が成功した個人情報数を計数し、該認証が成功した個人情報数が所定値以上であった場合、前記登録者が実在していると判定することを特徴とする。
【手続補正３】
【補正対象書類名】明細書
【補正対象項目名】００１２
【補正方法】変更
【補正の内容】
【００１２】
また、本発明は、複数の登録者に係る個人情報の管理業務を行う管理機関により使用され、前記登録者に係る個人情報を自身に備えられたデータベースに登録するとともに、要求に応じて該登録者の認証を行うシステムサーバと、前記登録者により操作されるユーザ端末と、前記登録者以外の第三者であって、前記登録者に係る個人情報を保有する登録希望側により操作される登録希望側端末と、前記登録者に係る個人情報を証明するための判断材料を保有する複数の関係機関側によりそれぞれ操作される確認先側端末と、を有するシステムであって、前記ユーザ端末または登録希望側端末は、前記登録者に係る個人情報を前記システムサーバに送信し、前記システムサーバは、前記登録者に係る個人情報を前記ユーザ端末または登録希望側端末から受信すると、前記登録者の個人情報の正当性の検証を要求する旨の情報とともに、前記登録者に係る個人情報を前記複数の確認先側端末にそれぞれ送信し、前記複数の確認先側端末は、前記システムサーバから受信した登録者の個人情報と、自身に格納されている前記登録者の個人情報の証明の証拠を示す情報とを比較して、前記登録者の個人情報の正当性の有無を検証し、該検証の回答情報を前記システムサーバに送信し、前記システムサーバは、前記回答情報を前記確認先端末から受信すると、該受信した回答情報と、前記登録者に係る個人情報とを対応付けて格納し、前記登録者の認証を行い、前記登録者に係る個人情報が示されている証明物の種類、照合の成否、前記データベース登録から経過した期間、照合から経過した期間、および現在該証明物の有効期限内か否かの項目のうちの少なくとも１つに基づいて、前記登録者が実在していることの確かさを点数化して算出することを特徴とする認証システム。
【手続補正４】
【補正対象書類名】明細書
【補正対象項目名】００１３
【補正方法】変更
【補正の内容】
【００１３】
また、本発明は、前記システムサーバは、前記登録者に係る個人情報が示されている証明物の種類、照合の成否、前記データベース登録から経過した期間、照合から経過した期間、および現在該証明物の有効期限内か否かの項目を点数化したもののうちの２以上を互いに掛け合わせて、前記登録者が実在していることの確かさを点数化して算出することを特徴とする。
【手続補正５】
【補正対象書類名】明細書
【補正対象項目名】００１４
【補正方法】変更
【補正の内容】
【００１４】
また、本発明は、前記システムサーバは、前記データベースに登録済みの登録者に係る個人情報が示されている証明物の種類に基づいて、該登録者に係る個人情報の不確かさを点数化して示したリスク率を決定し、該リスク率を反映させて、前記登録者が実在していることの確かさを算出することを特徴とする。
【手続補正６】
【補正対象書類名】明細書
【補正対象項目名】００１５
【補正方法】変更
【補正の内容】
【００１５】
また、本発明は、前記認証システムは、前記登録者の認証を自らで判断することを希望する実在判断希望側により使用される実在判断希望側端末をさらに有し、前記システムサーバは、前記登録者に係る個人情報を、前記実在判断希望側端末から受信すると、該受信個人情報と、前記データベースに登録されている登録者に係る個人情報とを比較して、前記登録者の個人情報の正当性の有無を検証し、該検証の回答情報を前記実在判断希望側端末に送信し、前記実在判断希望側端末は、前記回答情報を前記システムサーバから受信すると、該受信した回答情報により、前記登録者の認証を行うことを特徴とする。
【手続補正７】
【補正対象書類名】明細書
【補正対象項目名】００１６
【補正方法】変更
【補正の内容】
【００１６】
また、本発明は、前記認証システムは、前記登録者の認証の提供をシステムサーバに求める実在認証希望側により使用される実在認証希望側端末をさらに有し、前記システムサーバは、前記登録者に係る個人情報を、前記実在認証希望側端末から受信すると、該受信個人情報と、前記データベースに登録されている登録者に係る個人情報と、を照合して前記登録者の認証を行うことを特徴とする。
【手続補正８】
【補正対象書類名】明細書
【補正対象項目名】００１７
【補正方法】変更
【補正の内容】
【００１７】
また、本発明は、前記認証システムは、前記登録者に係る個人情報の正当性を判断を希望する正当性認証希望側により使用される正当性認証希望側端末をさらに有し、前記システムサーバは、前記登録者に係る個人情報を前記正当性認証希望側端末から受信すると、該受信個人情報と、前記データベースに登録されている登録者に係る個人情報と、を照合して前記受信個人情報の正当性を判断し、該判断結果を前記正当性認証希望側端末に送信することを特徴とする。
【手続補正９】
【補正対象書類名】明細書
【補正対象項目名】００１８
【補正方法】変更
【補正の内容】
【００１８】
また、本発明は、前記登録者に係る個人情報は、該登録者を撮影した画像情報であり、前記ユーザ端末は、前記登録者の外見を示す画像情報を前記システムサーバに送信し、前記システムサーバは、前記ユーザ端末から送信された前記登録者の外見を示す画像情報及び前記データベースに登録されている登録者を撮影した画像情報を撮影時期順に並べ、前記受信画像情報と、該受信画像情報と時期的に連続する画像情報とを照合して前記登録者の認証を行うことを特徴とする。
【手続補正１０】
【補正対象書類名】明細書
【補正対象項目名】００１９
【補正方法】変更
【補正の内容】
【００１９】
また、本発明は、前記システムサーバは、前記データベースに新たに登録された前記登録者のバイオメトリクス情報及び前記データベースに登録されている登録者のバイオメトリクス情報を読取時期順に並べ、前記新規のバイオメトリクス情報と、該新規のバイオメトリクス情報と読取時期が連続するバイオメトリクス情報とを照合して前記登録者の認証を行うことを特徴とする。
【手続補正１１】
【補正対象書類名】明細書
【補正対象項目名】００２０
【補正方法】変更
【補正の内容】
【００２０】
また、本発明は、前記データベースは、地図情報と、距離に応じて該距離の移動に要する最短時間を示す情報と、を登録し、前記システムサーバは、２以上のバイオメトリクス情報を受信したとき、該２以上のバイオメトリクス情報の読取場所および読取時期と、前記データベース内の移動に要する最短時間と、に基づいて、前記２以上のバイオメトリクス情報の読取を行った前記登録者が同一人物であるか否かを判定することを特徴とする。
【手続補正１２】
【補正対象書類名】明細書
【補正対象項目名】００２１
【補正方法】変更
【補正の内容】
【００２１】
また、本発明は、前記システムサーバは、
前記２以上のバイオメトリクス情報の読取を行った登録者が同一人物ではないと判断した場合、前記２以上のバイオメトリクス情報が第三者に流出した可能性を示すアラーム情報を前記ユーザ端末に送信することを特徴とする。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】